【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
撮像素子を有する撮像装置に着脱可能なレンズ装置であって、
フォーカシングに際して互いに異なる軌跡で移動する第１フォーカスレンズ群および第２フォーカスレンズ群を含む光学系と、
前記第１フォーカスレンズ群と前記第２フォーカスレンズ群の位置を制御するレンズ制御手段と、を備え、
前記レンズ制御手段は、前記光学系と前記撮像素子の間に配置された光学素子に関する情報に応じて定められる前記第１フォーカスレンズ群と前記第２フォーカスレンズ群の軌跡に基づいて、前記第１フォーカスレンズ群と前記第２フォーカスレンズ群の位置を制御し、
前記レンズ制御手段は、前記光学系と前記撮像素子の間における光学素子の配置状態が第１の状態である場合、前記光学系を第１の被写体距離に合焦させるために前記第１フォーカスレンズ群および前記第２フォーカスレンズ群が第１の配置となるように前記第１フォーカスレンズ群および前記第２フォーカスレンズ群の位置を制御し、
前記光学系と前記撮像素子の間における光学素子の配置状態が前記第１の状態とは異なる第２の状態である場合、前記光学系を前記第１の被写体距離に合焦させるために前記第１フォーカスレンズ群および前記第２フォーカスレンズ群が前記第１の配置とは異なる第２の配置となるように前記第１フォーカスレンズ群および前記第２フォーカスレンズ群の位置を制御し、
前記第１の配置における前記第１フォーカスレンズ群の横倍率をβｉ１、前記第１の配置における前記第２フォーカスレンズ群の横倍率をβｉ２、前記第１の配置における前記第１フォーカスレンズ群よりも像側に配置されたレンズ群の合成横倍率をβｉ１ｒ、前記第１の配置における前記第２フォーカスレンズ群よりも像側に配置されたレンズ群の合成横倍率をβｉ２ｒ、前記第１の配置から前記第２の配置に変化させた際の前記第１フォーカスレンズ群の移動量をＸ１、前記第１の配置から前記第２の配置に変化させた際の前記第２フォーカスレンズ群の移動量をＸ２とし、
Ｓ１＝（１−βｉ１２）×βｉ１ｒ２
Ｓ２＝（１−βｉ２２）×βｉ２ｒ２
とするとき、
【数１】
2019074671.tif 000001
なる関係を満足することを特徴とするレンズ装置。
【請求項２】
前記第１フォーカスレンズ群および前記第２フォーカスレンズ群が前記第１の配置である場合における前記光学系の収差量は、前記第１フォーカスレンズ群および前記第２フォーカスレンズ群が前記第２の配置である場合における前記光学系の収差量と異なることを特徴とする請求項１に記載のレンズ装置。
【請求項３】
前記第１の配置における前記第１フォーカスレンズ群の横倍率をβｉ１、前記第１の配置における前記第２フォーカスレンズ群の横倍率をβｉ２、前記第２の配置における前記第１フォーカスレンズ群の横倍率をβｊ１、前記第２の配置における前記第２フォーカスレンズ群の横倍率をβｊ２としたとき、
０．９５＜（βｉ１×βｉ２）／（βｊ１×βｊ２）＜１．１５
なる条件式を満足することを特徴とする請求項１または２に記載のレンズ装置。
【請求項４】
前記第１の被写体距離は、前記光学系が合焦可能な距離の範囲のうち最至近距離であり、
前記最至近距離における前記光学系の横倍率をβとしたとき、
β＜−０．１
なる条件式を満足することを特徴とする請求項１乃至３のいずれか一項に記載のレンズ装置。
【請求項５】
前記第１の状態は、前記光学系と前記撮像素子の間に光学素子が配置されていない状態であり、
前記第２の状態は、前記光学系と前記撮像素子の間に光学素子が配置されている状態であることを特徴とする請求項１乃至４のいずれか一項に記載のレンズ装置。
【請求項６】
前記第１の状態は、前記光学系と前記撮像素子の間に第１の光学素子が配置されている状態であり、
前記第２の状態は、前記光学系と前記撮像素子の間に前記第１の光学素子とは異なる第２の光学素子が配置されている状態であることを特徴とする請求項１乃至４のいずれか一項に記載のレンズ装置。
【請求項７】
前記光学素子に関する情報は、前記光学素子の厚みを識別可能な情報であることを特徴とする請求項１乃至６のいずれか一項に記載のレンズ装置。
【請求項８】
前記光学素子に関する情報は、前記光学素子の屈折率を識別可能な情報であることを特徴とする請求項１乃至７のいずれか一項に記載のレンズ装置。
【請求項９】
前記撮像装置は、前記光学素子に関する情報に応じて前記軌跡を定め、
前記レンズ制御手段は、前記撮像装置によって定められた前記軌跡に基づいて前記第１フォーカスレンズ群と前記第２フォーカスレンズ群の位置を制御することを特徴とする請求項１乃至８のいずれか一項に記載のレンズ装置。
【請求項１０】
前記レンズ制御手段は前記光学素子に関する情報に応じて前記軌跡を定めることを特徴とする請求項１乃至８のいずれか一項に記載のレンズ装置。
【請求項１１】
前記レンズ装置は、前記光学素子に関する情報に応じて異なる前記第１フォーカスレンズ群と前記第２フォーカスレンズ群の複数の前記軌跡に関する情報を記憶する記憶手段を有することを特徴とする請求項１乃至８のいずれか一項に記載のレンズ装置。
【請求項１２】
フォーカシングに際して互いに異なる軌跡で移動する第１フォーカスレンズ群および第２フォーカスレンズ群を含む光学系を有するレンズ装置が着脱可能な撮像装置であって、
撮像素子と、
前記光学系と前記撮像素子の間に配置された光学素子に関する情報に応じて定められる前記第１フォーカスレンズ群および前記第２フォーカスレンズ群の軌跡に基づいて前記第１フォーカスレンズ群および前記第２フォーカスレンズ群の目標位置を定めるカメラ制御手段と、
を有し、
前記カメラ制御手段は、前記光学系と前記撮像素子の間における光学素子の配置状態が第１の状態である場合、前記光学系を第１の被写体距離に合焦させるために前記第１フォーカスレンズ群および前記第２フォーカスレンズ群が第１の配置となるように前記第１フォーカスレンズ群および前記第２フォーカスレンズ群の位置を制御し、
前記光学系と前記撮像素子の間における光学素子の配置状態が前記第１の状態とは異なる第２の状態である場合、前記光学系を前記第１の被写体距離に合焦させるために前記第１フォーカスレンズ群および前記第２フォーカスレンズ群が前記第１の配置とは異なる第２の配置となるように前記第１フォーカスレンズ群および前記第２フォーカスレンズ群の位置を制御し、
前記第１の配置における前記第１フォーカスレンズ群の横倍率をβｉ１、前記第１の配置における前記第２フォーカスレンズ群の横倍率をβｉ２、前記第１の配置における前記第１フォーカスレンズ群よりも像側に配置されたレンズ群の合成横倍率をβｉ１ｒ、前記第１の配置における前記第２フォーカスレンズ群よりも像側に配置されたレンズ群の合成横倍率をβｉ２ｒ、前記第１の配置から前記第２の配置に変化させた際の前記第１フォーカスレンズ群の移動量をＸ１、前記第１の配置から前記第２の配置に変化させた際の前記第２フォーカスレンズ群の移動量をＸ２とし、
Ｓ１＝（１−βｉ１２）×βｉ１ｒ２
Ｓ２＝（１−βｉ２２）×βｉ２ｒ２
とするとき、
【数２】
2019074671.tif 000002
なる関係を満足することを特徴とする撮像装置。
【請求項１３】
フォーカシングに際して互いに異なる軌跡で移動する第１フォーカスレンズ群および第２フォーカスレンズ群を含む光学系を有し、撮像素子を備える撮像装置に着脱可能なレンズ装置を制御する制御方法であって、
前記光学系と前記撮像素子の間に配置された光学素子に関する情報に応じて定められる前記第１フォーカスレンズ群および前記第２フォーカスレンズ群の軌跡に基づいて前記第１フォーカスレンズ群および前記第２フォーカスレンズ群の目標位置を定める第１のステップと、
前記第１のステップにおいて定められた前記目標位置に基づいて前記第１フォーカスレンズ群と前記第２フォーカスレンズ群の位置を制御する第２のステップと、
を有し、
前記第２のステップにおいて、前記光学系と前記撮像素子の間における光学素子の配置状態が第１の状態である場合、前記光学系を第１の被写体距離に合焦させるために前記第１フォーカスレンズ群および前記第２フォーカスレンズ群が第１の配置となるように前記第１フォーカスレンズ群および前記第２フォーカスレンズ群の位置を制御し、
前記光学系と前記撮像素子の間における光学素子の配置状態が前記第１の状態とは異なる第２の状態である場合、前記光学系を前記第１の被写体距離に合焦させるために前記第１フォーカスレンズ群および前記第２フォーカスレンズ群が前記第１の配置とは異なる第２の配置となるように前記第１フォーカスレンズ群および前記第２フォーカスレンズ群の位置を制御し、
前記第１の配置における前記第１フォーカスレンズ群の横倍率をβｉ１、前記第１の配置における前記第２フォーカスレンズ群の横倍率をβｉ２、前記第１の配置における前記第１フォーカスレンズ群よりも像側に配置されたレンズ群の合成横倍率をβｉ１ｒ、前記第１の配置における前記第２フォーカスレンズ群よりも像側に配置されたレンズ群の合成横倍率をβｉ２ｒ、前記第１の配置から前記第２の配置に変化させた際の前記第１フォーカスレンズ群の移動量をＸ１、前記第１の配置から前記第２の配置に変化させた際の前記第２フォーカスレンズ群の移動量をＸ２とし、
Ｓ１＝（１−βｉ１２）×βｉ１ｒ２
Ｓ２＝（１−βｉ２２）×βｉ２ｒ２
とするとき、
【数３】
2019074671.tif 000003
なる関係を満足することを特徴とする制御方法。
【手続補正２】
【補正対象書類名】明細書
【補正対象項目名】０００６
【補正方法】変更
【補正の内容】
【０００６】
本発明のレンズ装置は、撮像素子を有する撮像装置に着脱可能なレンズ装置であって、フォーカシングに際して互いに異なる軌跡で移動する第１フォーカスレンズ群および第２フォーカスレンズ群を含む光学系と、前記第１フォーカスレンズ群と前記第２フォーカスレンズ群の位置を制御するレンズ制御手段と、を備え、前記レンズ制御手段は、前記光学系と前記撮像素子の間に配置された光学素子に関する情報に応じて定められる前記第１フォーカスレンズ群と前記第２フォーカスレンズ群の軌跡に基づいて、前記第１フォーカスレンズ群と前記第２フォーカスレンズ群の位置を制御し、前記レンズ制御手段は、前記光学系と前記撮像素子の間における光学素子の配置状態が第１の状態である場合、前記光学系を第１の被写体距離に合焦させるために前記第１フォーカスレンズ群および前記第２フォーカスレンズ群が第１の配置となるように前記第１フォーカスレンズ群および前記第２フォーカスレンズ群の位置を制御し、前記光学系と前記撮像素子の間における光学素子の配置状態が前記第１の状態とは異なる第２の状態である場合、前記光学系を前記第１の被写体距離に合焦させるために前記第１フォーカスレンズ群および前記第２フォーカスレンズ群が前記第１の配置とは異なる第２の配置となるように前記第１フォーカスレンズ群および前記第２フォーカスレンズ群の位置を制御し、前記第１の配置における前記第１フォーカスレンズ群の横倍率をβｉ１、前記第１の配置における前記第２フォーカスレンズ群の横倍率をβｉ２、前記第１の配置における前記第１フォーカスレンズ群よりも像側に配置されたレンズ群の合成横倍率をβｉ１ｒ、前記第１の配置における前記第２フォーカスレンズ群よりも像側に配置されたレンズ群の合成横倍率をβｉ２ｒ、前記第１の配置から前記第２の配置に変化させた際の前記第１フォーカスレンズ群の移動量をＸ１、前記第１の配置から前記第２の配置に変化させた際の前記第２フォーカスレンズ群の移動量をＸ２とし、
Ｓ１＝（１−βｉ１２）×βｉ１ｒ２
Ｓ２＝（１−βｉ２２）×βｉ２ｒ２
とするとき、
（Ｓ１／｜Ｓ１｜）×（Ｘ１／｜Ｘ１｜）＋（Ｓ２／｜Ｓ２｜）×（Ｘ２／｜Ｘ２｜）
＝０
なる関係を満足することを特徴とする。